(57)【特許請求の範囲】
【請求項１】
室内機本体に形成する前部吸込み口および上部吸込み口にそれぞれ対向して設置される前部エアフィルタおよび上部エアフィルタと、
上記前部エアフィルタを前部吸込み口との対向部位から上部吸込み口と対向する位置へ移動する前部移動手段と、
上記上部エアフィルタを上部吸込み口との対向部位から前部吸込み口と対向する位置へ移動する上部移動手段と、
この前部吸込み口と上部吸込み口との間に配置され、上記前部エアフィルタと上部エアフィルタの移動により、各エアフィルタに付着する塵埃を除去して収集するエアフィルタ清掃機構と
を具備することを特徴とする空気調和機の室内機。
【請求項２】
室内機本体に形成する前部吸込み口および上部吸込み口にそれぞれ対向して設置される前部エアフィルタおよび上部エアフィルタと、
上記前部吸込み口と対向して配置され、前部エアフィルタを保持するとともに、上部吸込み口方向へ移動自在に支持する前部吸込み枠と、
上記上部吸込み口と対向して配置され、上部エアフィルタを保持するとともに、前部吸込み口方向へ移動自在に支持する上部吸込み枠と、
上記前部吸込み枠に保持される前部エアフィルタを上部吸込み枠へ往復移動させる前部移動機構と、
上記上部吸込み枠組立てに保持される上部エアフィルタを前部吸込み枠へ往復移動させる上部移動機構と、
この前部吸込み枠と上部吸込み枠との間に配置され、上記前部エアフィルタと上部エアフィルタの移動により各エアフィルタに付着する塵埃を除去する塵埃除去手段および、この塵埃除去手段によって除去された塵埃を収集する塵埃収集部を備えたエアフィルタ清掃機構と
を具備することを特徴とする空気調和機の室内機。
【発明の詳細な説明】
【技術分野】
【０００１】
本発明は、空気調和機の室内機に係り、特にエアフィルタを、前部エアフィルタと上部エアフィルタに分割し、それぞれのエアフィルタで捕捉され付着する塵埃を自動的に除去するエアフィルタ清掃構造に関する。
【背景技術】
【０００２】
空気調和機の室内機では、吸込み口から室内機本体内に室内空気が吸込まれるが、室内空気に含まれる塵埃は吸込み口と対向して設けられるエアフィルタで捕捉され、室内空気のみが熱交換器に導かれて熱交換される。空調運転の継続にともないエアフィルタには捕捉された塵埃が堆積し、そのまま放置すると熱交換器に対する室内空気の流通が阻害されて熱交換効率の低下を招いてしまう。  
理想的には、エアフィルタに付着している塵埃を定期的に除去し、熱交換効率の向上を図る必要がある。そのため、室内機本体の前面を構成する前面パネルを回動自在に設け、前面パネルを開放するとエアフィルタが露出する。エアフィルタの下端部を摘んで引き下ろせば、容易に室内機本体から取外せる。エアフィルタに付着している塵埃を除去したあと、再びエアフィルタの上端部を室内機本体に当てて押上げれば、元の位置に戻せるようになっている。
【０００３】
しかしながら、一般的に多用される空気調和機の室内機は、いわゆる壁掛け式と呼ばれていて、部屋の壁面高所に取付けられている。そのため、たとえば高齢者や女性にとっては前面パネルの開閉とエアフィルタの着脱操作が困難をともない、エアフィルタに塵埃を付着させたままの状態になり易い。  
そこで、たとえば［特許文献１］に開示されるように、エアフィルタに付着するゴミを自動的に除去する空気調和機が提供されるに至った。具体的には、エアフィルタを本体の吸込み口の内側に沿って回動させる回動手段を備えるとともに、エアフィルタ上のゴミ（塵埃）を除去するゴミ除去手段および、除去したゴミを収集するゴミ収納部とから構成されている。
【特許文献１】特開２００２−５５０４号公報
【発明の開示】
【発明が解決しようとする課題】
【０００４】
ところで上述の技術では、エアフィルタの上端を巻き付けているロール軸を駆動モータが回転駆動し、エアフィルタを巻き取る。同時に、エアフィルタに押し付けられている毛ブラシを回転させながら、エアフィルタに付着しているゴミを掻き落とす。エアフィルタのほとんど全てを巻き取った状態でゴミの除去が完了したら、駆動モータの駆動を停止する。この状態でエアフィルタの下端部に連結される渦巻きばねが作動し、エアフィルタを引張って元の位置まで戻すようになっている。  
したがって、エアフィルタ全体を移動してゴミを除去するために、エアフィルタの移動距離が長くなり、除去に必要な時間がかかってしまう。また、本体の大型化を抑制するために、巻き取ったエアフィルタの直径を可能な限り小さくしなければならず、そのためにはエアフィルタは極薄状のものを使用することとなる。
【０００５】
しかも、ゴミの除去が完了した状態で渦巻きばねが作用し、エアフィルタを一気に伸張させるようになっているから、エアフィルタは繰り返しの引張り力に耐え得る強度の高い素材を用いる必要がある。このような極薄で強度の高い特殊なエアフィルタ材料の選択には困難がともない、当然、高価になりコストに悪影響を与える。  
長期の使用に亘ると、必然的にエアフィルタの柔軟性が低下してきて部分的に皺が発生することが避けられず、この部分にゴミが残り易い。エアフィルタがロール軸に巻き取られる際に、皺部分に残ったゴミが重ね合った部分に転移分散する。エアフィルタの汚れが大きくなると、均等な巻き取りがし難くなってゴミの除去が効果的に行えず、信頼性の低下を招いてしまう。
【０００６】
本発明は上記事情に着目してなされたものであり、その目的とするところは、エアフィルタを前部と上部に分割し、それぞれのエアフィルタに付着している塵埃を除去する際は互いに他方のエアフィルタ側に移動するようにして、エアフィルタの小型化と、移動距離を短縮して除去に必要な時間の短縮化を得られるとともに、経年変化の影響を受けずに確実な塵埃除去をなし、耐久性および信頼性の向上化を図れる空気調和機の室内機を提供しようとするものである。
【課題を解決するための手段】
【０００７】
上記目的を達成するため本発明における空気調和機の室内機は、室内機本体に形成する前部吸込み口および上部吸込み口にそれぞれ対向して設置される前部エアフィルタおよび上部エアフィルタと、前部エアフィルタを前部吸込み口との対向部位から上部吸込み口と対向する位置へ移動する前部移動手段と、上部エアフィルタを上部吸込み口との対向部位から前部吸込み口と対向する位置へ移動する上部移動手段と、この前部吸込み口と上部吸込み口との間に配置され前部エアフィルタと上部エアフィルタの移動により各エアフィルタに付着する塵埃を除去して収集するエアフィルタ清掃機構とを具備する。
【発明の効果】
【０００８】
本発明によれば、エアフィルタの小型化と、移動距離を短縮して除去に必要な時間の短縮化を得られるとともに、経年変化の影響を受けずに確実な塵埃除去をなし、耐久性および信頼性の向上化を図る等の効果を奏する。
【発明を実施するための最良の形態】
【０００９】
以下、図面を参照しながら、本発明の実施の形態について詳細に説明する。  
図１は空気調和機の室内機における前面パネルを外した状態の概略の側断面図である。（なお、説明中に符号を付していない部品は図示していない。以下同じ）  
室内機本体１は、この室内機本体１の前面側筐体を構成する前面パネルと部品を配置する後板筐体３とから構成されていて、横長状をなす。室内機本体１の前面側一部に前部吸込み口４が開口され、前部吸込み口４に対向する前面パネルには開閉駆動機構に支持された可動パネルが嵌め込まれている。  
運転停止時において、上記可動パネルは前面パネル表面に接合して同一面となり前部吸込み口４を室内側から閉成するが、運転時には手前側に突出変位して周囲に室内側と連通する隙間が生じるようにして前部吸込み口４が室内側に開放するよう制御される。
【００１０】
室内機本体１の上部には上部吸込み口６が設けられる。上部吸込み口６には枠状の桟が嵌め込まれていて、この桟によって複数の空間部に仕切られている。室内機本体１の前面下部には、２枚の吹出しルーバー８ａ，８ｂが並行して設けられた吹出し口９が形成する。各吹出しルーバー８ａ，８ｂは、室内機本体１の前面下部に設けられる吹出し口９を開閉し、かつ運転条件に応じて熱交換空気の吹出し方向を設定できる。  
室内機本体１内には、前側熱交換器部１０Ａと後側熱交換器部１０Ｂとで略逆Ｖ字状に形成される熱交換器１０が配置される。上記前側熱交換器部１０は、室内機本体１の前面パネル取り付け面の部分と間隙を存してほぼ平行な湾曲状に形成され、後側熱交換器部１０Ｂは直状に形成されて上部吸込み口６と斜めに傾斜して対向する。
【００１１】
一方、前部吸込み口４と前側熱交換器部１０Ａとの間には前部エアフィルタ５Ａが取付けられ、上部吸込み口６と後側熱交換器部１０Ｂとの間には上部エアフィルタ５Ｂが取付けられる。上記前部エアフィルタ５Ａは前部吸込み枠７Ａに保持され、上部エアフィルタ５Ｂは上部吸込み枠７Ｂに保持される。  
そして、これら前部吸込み枠７Ａの上端部と、上部吸込み枠７Ｂの前端部との間に沿って、エアフィルタ清掃機構（以下、「掃除ユニット」と呼ぶ）Ｚが介設される。これら前部吸込み枠７Ａと、上部吸込み枠７Ｂおよび掃除ユニットＺについては後述する。
【００１２】
上記熱交換器１０の前側熱交換器部１０Ａの前面側一部に、電気集塵機支持具１１が取付けられていて、この支持具１１に電気集塵機が着脱自在に取付けられる。上記電気集塵機は、流通する空気中の塵埃に電荷を与える荷電側電極と、電荷を与えられた塵埃を引きつけて捕捉する集塵側電極とから構成される。  
上記傘状に形成される熱交換器１０の前後側熱交換器部１０Ａ，１０Ｂ相互間に室内送風機１２が配置される。上記室内送風機１２は、室内機本体１の一側端のスペースＫに配置されたファンモータと、このファンモータの回転軸に一方の支軸が機械的に連結される横流ファンとから構成される。室内機本体１の他側端のスペースには上記室内送風機１２に隣設され、かつこの軸心の延長上に軸心を有する換気ユニットが設けられる。
【００１３】
上記換気ユニットは、上記掃除ユニットＺと接続ホースを介して連通されていて、ダンパとダンパ駆動機構および送風機構から構成される。ダンパ駆動機構は、制御信号にもとづいてダンパを回動駆動し、その結果、熱交換器１０を通過した熱交換空気である熱交換器二次側空気を送風機構に導く作用と、前，上部エアフィルタ５Ａ，５Ｂを通過し熱交換器１０に導かれる以前の熱交換器一次側空気を送風機構に導く作用とに切換えられるようになっている。  
上記送風機構を構成するファンケーシングは吹出し口体を備えていて、この吹出し口体は屋外と連通する。したがって、ファンケーシング内のファンを回転駆動すれば、熱交換器二次側空気もしくは熱交換器一次側空気が屋外へ排出される、いわゆる換気作用をなす。これら一次側と二次側の選択は、被空調室内の状態ばかりでなく室内機本体１内の状態に応じて選択される。
【００１４】
さらに、換気ユニットにおけるダンパとダンパ駆動機構は、上記送風機構のファンケーシングに設けられる吸気口を閉塞することもできる。このときは、たとえば屋外とケーシングの吸気口を介して換気ユニットが室内機本体内と連通することで、屋外の塵埃や騒音などが室内に侵入してくるのを防止する。  
上記掃除ユニットＺと換気ユニットを連通する接続ホースは、換気ユニットにおける送風機構のファンケーシングの吸気口と吹出し口体との間に接続される。したがって、吸気口を閉塞してもファンケーシング内のファンを回転駆動すれば、接続ホースを介して掃除ユニットＺに負圧がかかることとなる。
【００１５】
一方、上記前側熱交換器部１０Ａの下端部は前ドレンパン１３ａ上に載り、後側熱交換器部１０Ｂの下端部は後ドレンパン１３ｂ上に載って、それぞれの熱交換器部１０Ａ，１０Ｂから滴下するドレン水を受け、図示しない排水ホースを介して外部に排水できるようになっている。  
前後ドレンパン１３ａ，１３ｂの一部側壁外面は室内送風機１２に近接した位置に設けられ、これらで室内送風機１２の横流ファンに対するノーズを構成している。ノーズとなる前後ドレンパン１３ａ，１３ｂの側壁部分と吹出し口９の各辺部との間は、隔壁部材１４によって連結される。隔壁部材１４で囲まれる空間が、ノーズと吹出し口９とを連通する吹出し通風路１５となっている。
【００１６】
つぎに、上記前部吸込み枠７Ａと上部吸込み枠７Ｂおよび掃除ユニットＺについて詳述する。  
図２は空気調和機の室内機における室内機本体１など構成部品の一部を省略して示す斜視図である。図３は前部吸込み枠７Ａと上部吸込み枠７Ｂおよび掃除ユニットＺの斜視図、図４は掃除ユニットＺを分解した斜視図、図５は掃除ユニットＺの一部を断面にした斜視図である。  
上記前部吸込み枠７Ａと上部吸込み枠７Ｂはともに、室内機本体１の幅方向全体に亘って形成される幅方向と、前部吸込み口４と上部吸込み口６の幅方向とは直交する方向の長さに対応する寸法形状の枠体である。これらの吸込み枠７Ａ，７Ｂの幅方向中央部に、幅方向とは直交する方向に亘って中央仕切り部１６ａ，１６ｂが設けられ、枠体を左右に仕切る。
【００１７】
図２において、中央仕切り部１６ａ，１６ｂから左側の前部吸込み枠７Ａと上部吸込み枠７Ｂには何らの取付け部材も示していないが、中央仕切り部１６ａ，１６ｂから右側の部位に、それぞれ前部エアフィルタ５Ａと上部エアフィルタ５Ｂが嵌め込まれた状態を示している。  
前，上部エアフィルタ５Ａ，５Ｂは、格子状の桟部によってエアフィルタが補強される構成であり、それぞれの吸込み枠７Ａ，７Ｂの断面形状に応じて湾曲成される。中央仕切り部１６ａ，１６ｂを境にして、前部吸込み枠７Ａには左右２枚の前部エアフィルタ５Ａが取付けられ、上部吸込み枠７Ｂには左右２枚の上部エアフィルタ５Ｂが取付けられていて、この室内機には合計４枚のエアフィルタ５Ａ，５Ｂが取付けられることになる。
【００１８】
それぞれのエアフィルタ５Ａ，５Ｂにおける中央補強桟部ｍ，ｎの裏面側には、上下（前後）方向に亘って平歯車である、いわゆるラックが設けられている。そして、特に図１に示すように、前部吸込み枠７Ａと上部吸込み枠７Ｂの左右両側端の内面と、中央仕切り部の左右両面に、それぞれガイド片１７ａ，１７ｂが一体に設けられている。  
前部吸込み枠７Ａにおいては、ガイド片１７ａと枠体表面との間に前部エアフィルタ５Ａの両側端を支持し、上部吸込み枠７Ｂにおいては、ガイド片１７ｂと枠体背面との間に上部エアフィルタ５Ｂの両側端を支持している。したがって、前部吸込み枠７Ａのガイド片１７ａと枠体背面との間に空間スペースａが確保され、上部吸込み枠７Ｂのガイド片１７ｂと枠体表面との間に空間スペースｂが確保されている。
【００１９】
換言すれば、前部吸込み枠７Ａは前部吸込み口４と対向して配置され、前部エアフィルタ５Ａを保持するとともに、上部吸込み口６方向へ移動自在に支持する。詳しくは、掃除ユニットＺを介して上部吸込み枠７Ｂのガイド片１７ｂと枠体表面との間の空間スペースｂ方向へ移動自在に支持する。  
また、上部吸込み枠７Ｂは上部吸込み口６と対向して配置され、上部エアフィルタ５Ｂを保持するとともに、前部吸込み口方向４へ移動自在に支持する。詳しくは、掃除ユニットＺを介して前部吸込み枠７Ａのガイド片１７ａと枠体背面との間の空間スペースａ方向へ移動自在に支持する。
【００２０】
上記掃除ユニットＺは、前部エアフィルタ清掃機構２０Ａと、上部エアフィルタ清掃機構２０Ｂとから構成される。これら前部エアフィルタ清掃機構２０Ａと上部エアフィルタ清掃機構２０Ｂは、互いに上下に隣接し、かつ室内機本体１の幅方向全長に亘って並行して設けられる。上部吸込み枠７Ｂの右側端面には、前，上部エアフィルタ清掃機構２０Ａ，２０Ｂの駆動源であるモータ２１ａ，２１ｂが取付けられる。  
上記前部エアフィルタ清掃機構２０Ａは、前部エアフィルタ５Ａを後述するように移動させる前部移動手段である前部移動機構２２ａと、前部エアフィルタ５Ａに付着する塵埃を除去する前部塵埃除去手段である前部用ブラシ２３ａと、前部用ブラシ２３ａが除去した塵埃を収集する前部塵埃収集部である前部ダストボックス２４ａを備えている。
【００２１】
上記上部エアフィルタ清掃機構２０Ｂは、上部エアフィルタ５Ｂを後述するように移動させる上部移動手段である上部移動機構２２ｂと、上部エアフィルタ５Ｂに付着する塵埃を除去する上部塵埃除去手段である上部用ブラシ２３ｂと、上部用ブラシ２３ｂが除去した塵埃を収集する上部塵埃収集部である上部ダストボックス２４ｂを備えている。  
上記前部ダストボックス２４ａは、メーンダストボックス上２５ａと、ダストカバー上２６ａと、シール上２７ａとを組合せてなる。上記メーンダストボックス上２５ａは、断面逆Ｕ字状に曲成される部位と、断面Ｕ字状に形成される部位とを一体に連設してなる。断面逆Ｕ字状に曲成される部位で前部用ブラシ２３ａを上部側から覆い、残りの開口部分をシール上２７ａで開閉自在に塞いで、これらで前部用ブラシ２３ａを収容する。
【００２２】
すなわち、後述するように前部エアフィルタ５Ａはメーンダストボックス上２５ａとシール上２７ａとの端部相互間に導かれるようになっている。シール上２７ａは前部用ブラシ２３ａに弾性的に当接するようスプリングによって押上げられていて、前部エアフィルタ５Ａが突き当たると挿入力に押されて後退変位し、メーンダストボックス上２５ａの開口部から離間して前部エアフィルタ５Ａの通過を許容する。前部エアフィルタ５Ａ全体が通過してしまえば、再びスプリングによって押上げられメーンダストボックス上２５ａの開口部を塞ぐようになっている。  
また、メーンダストボックス上２５ａの断面Ｕ字状に形成される部位は、側部に塵埃案内口ｃを有し、かつ上端開口部はダストカバー上２６ａによって閉成される。したがって、メーンダストボックス上２５ａとダストカバー上２６ａとの間に空間室２８ａが形成され、メーンダストボックス上２５ａとシール上２７ａとに収容される前部用ブラシ２３ａが除去した塵埃は、上記塵埃案内口ｃを介して空間室２８ａに導かれ収集されるようになっている。
【００２３】
上記前部用ブラシ２３ａの長手方向の中央部には上記前部移動機構２２ａが設けられる。前部移動機構２２ａは、図５に示すように構成されている。すなわち、前部用ブラシ２３ａの軸部に駆動ギヤ３０ａが設けられ、この駆動ギヤ３０ａと離間した位置に中間ギヤ３１ａが枢支され、これら駆動ギヤ３０ａと中間ギヤ３１ａとに亘ってタイミングベルト３２ａが掛け渡される。上記中間ギヤ３１ａは、フランジ部を介した裏面側に従動ギヤが一体に設けられ、この従動ギヤには第３のギヤ３３ａが噛合する。  
上記第３のギヤ３３ａの中心部には矩形状の孔部ｄが設けられていて、ここに図４で示す断面矩形状のエアフィルタ駆動軸３４ａが挿通する。エアフィルタ駆動軸３４ａは中央部が第３のギヤ３３ａに嵌着固定され、左右両側端部にエアフィルタ駆動ギヤ３５ａが取付けられる。全て組立てられた状態で、先に説明したように前部エアフィルタ５Ａにおける中央部補強桟ｍの裏面に設けられるラックに上記エアフィルタ駆動ギヤ３５ａが噛合するようになっている。
【００２４】
以上で前部エアフィルタ清掃機構２０Ａの説明がなされる。上部エアフィルタ清掃機構２０Ｂについては前部エアフィルタ清掃機構２０Ａと若干の相違があるが、基本的には同一構成である。したがって、前部エアフィルタ清掃機構２０Ａの構成部品と同一部品については、符号末尾の「ａ」に対して符号末尾に「ｂ」を付して説明を省略する。  
このようにして構成される空気調和機の室内機であって、リモコンの運転スイッチをオンに切換えると、可動パネルが前部吸込み口４を開放し、冷房運転と暖房運転の指定に応じて吹出し口９に備えられる吹出しルーバー８ａ，８ｂが回動して姿勢が設定される。同時に、室内送風機１２が送風作用をなす一方で、室外機の圧縮機が駆動され冷凍サイクル運転が開始される。
【００２５】
室内空気は、前部吸込み口４と上部吸込み口６から室内機本体１内に導かれ、前部エアフィルタ５Ａおよび上部エアフィルタ５Ｂを通過して室内空気中に含まれる塵埃が捕捉される。塵埃が除去された室内空気は熱交換器１０を流通し、ここに導かれる冷媒と熱交換作用が行われる。そのあと熱交換空気は吹出し通風路１５に沿って導かれ、吹出し口９から吹出しルーバー８ａ，８ｂに案内されて室内へ吹出され、効率のよい空調運転を継続する。  
使用者がリモコン（遠隔操作盤）を操作して「エアフィルタ掃除モード」を選択する、もしくは所定の期間毎で空調運転の終了後、もしくは予め設定された時間、もしくは予め決められた時間帯などに、「エアフィルタ掃除モード」が自動的に行われる。  
図６（Ａ）ないし（Ｆ）は、エアフィルタ掃除モードが選択された場合の掃除ユニットＺの動作を順に示す説明図である。
【００２６】
図６（Ａ）は、空調運転中もしくは停止中の掃除ユニットを示していて、前部エアフィルタ５Ａの上端部は前部エアフィルタ清掃機構２０Ａに接触しているが、この清掃機構２０Ａを構成するメーンダストボックス上２５ａの開口部をシール上２７ａが閉成している。これに対して、上部エアフィルタ清掃機構２０Ｂを構成する上部エアフィルタ５Ｂの前端部は、このエアフィルタ清掃機構２０Ｂを構成するメーンダストボックス下２５ｂの開口部とシール下２７ｂとの間に介在している。  
すなわち、前部エアフィルタ５Ａは前部用ブラシ２３ａと接触していないが、上部エアフィルタ５Ｂの前端部は上部用ブラシ２３ｂと接触している。当然、前部エアフィルタ５Ａは前部吸込み口４に対向し、上部エアフィルタ５Ｂは上部吸込み口６に対向して位置している。
【００２７】
エアフィルタ掃除モードの選択にともない、はじめ前部エアフィルタ清掃機構２０Ａの駆動モータ２１ａに通電されて、前部用ブラシ２３ａが回転駆動される。前部用ブラシ２３ａの軸からタイミングベルト３２ａを介してエアフィルタ駆動軸３４ａが回転駆動され、これと噛合するラックを備えた左右の前部エアフィルタ５Ａは同時に上昇移動を開始する。  
前部エアフィルタ５Ａの上端部はシール上２７ａに接触してこれを押下げ、前部用ブラシ２３ａとシール上２７ａとの間を通過していく。図６（Ｂ）に示すように、前部エアフィルタ５Ａは前部用ブラシ２３ａに接触しながら上昇移動し、同時に前部用ブラシ２３ａは同方向（反時計回り方向）に回転する。
【００２８】
前部エアフィルタ５Ａに付着していた塵埃は、前部用ブラシ２３ａによって円滑に掻き落とされる。すなわち、前部移動機構２２ａを構成するギヤのギヤ比の設定から、前部用ブラシ２３ａの回転速度は前部エアフィルタ５Ａの走行速度よりも速くなることと、前部エアフィルタ５Ａと前部用ブラシ２３ａが同方向に回転（走行）するところから、互いの間に抵抗が生じることがない。  
掻き落とされた塵埃は、順次、メーンダストボックス上２５ａの案内口ｃから、メーンダストボックス上２５ａとダストカバー上２６ａとで形成される空間室２８ａに導かれ収集される。前部エアフィルタ清掃機構２０Ａと上部エアフィルタ清掃機構２０Ｂとは上下に重ねられた状態で構成されているが、上記空間室２８ａがほとんど密閉状態となっているので、掻き落とされた塵埃が空間室２８ａから周辺へ飛散することはない。
【００２９】
前部用ブラシ２３ａを通過した前部エアフィルタ５Ａの上端部は、上部吸込み枠７Ｂに設けられたガイド片１７ｂと枠体表面との間の空間スペースｂにガイドされる。したがって、前部エアフィルタ５Ａは上部吸込み口６と上部エアフィルタ５Ｂとに間に介在する。  
図６（Ｃ）に示すように、前部エアフィルタ５Ａの上昇移動が継続して、この下端部が前部用ブラシ２３ａに対向すると、前部エアフィルタ５Ａに対する塵埃の除去が完了することとなり、駆動モータ２１ａの駆動を停止する。このときはまだ、前部エアフィルタ５Ａの下端部がメーンダストボックス上２５ａとシール上２７ａとの間に介在した状態を保持する。  
つぎのタイミングで、駆動モータ２１ａは逆転駆動され、同時に上部エアフィルタ清掃機構２０Ｂの駆動モータ２１ｂが駆動される。上部用ブラシ２３ｂは時計回り方向に回転し、上部移動機構２２ｂを介して左右の上部エアフィルタ５Ｂは同時に下降移動を開始する。
【００３０】
図６（Ｄ）に示すように、上部エアフィルタ５Ｂに付着していた塵埃は、上部用ブラシ２３ｂによって円滑に掻き落とされる。すなわち、上部移動機構２２ｂを構成するギヤのギヤ比の設定から、上部用ブラシ２３ｂの回転速度は上部エアフィルタ５Ｂの走行速度よりも速くなることと、上部エアフィルタ５Ｂと上部用ブラシ２３ｂが互いに同方向に回転（走行）するところから、互いの間に抵抗が生じることがない。  
掻き落とされた塵埃は、順次、メーンダストボックス下２５ｂの案内口ｃから、メーンダストボックス下２５ｂとダストカバー下２６ｂとで形成される空間室２８ｂに導かれ収集される。前部エアフィルタ清掃機構２０Ａと上部エアフィルタ清掃機構２０Ｂとは上下に重ねられた状態で構成されているが、上記空間室２８ｂがほとんど密閉状態となっているので、掻き落とされた塵埃が空間室２８ｂから周辺へ飛散することはない。
【００３１】
上部用ブラシ２３ｂを通過した上部エアフィルタ５Ｂの前端部は、前部吸込み枠７Ａに設けられるガイド片１７ａと枠体背面との間の空間スペースａにガイドされる。したがって、上部エアフィルタ５Ｂと前部エアフィルタ５Ａとは互いに重なった状態で下降移動することになる。  
図６（Ｅ）に示すように、上部エアフィルタ５Ｂの下降移動が継続して、この後端部が上部用ブラシ２３ｂとシール下２７ｂの間を通過すると、上部エアフィルタ５Ｂに対する塵埃の除去が完了するので、上部エアフィルタ清掃機構２０Ｂの駆動モータ２１ｂの駆動を停止する。スプリングの弾性力でシール下２７ｂが押上げられ、メーンダストボックス下２５ｂの開口部を閉成する。
【００３２】
同時に、前部エアフィルタ５Ａの下降移動が継続して、この上端部が前部用ブラシ２３ａとシール上２７ａの間を通過すると、駆動モータ２１ａを停止する。スプリングの弾性力でシール上２７ａが押上げられ、メーンダストボックス上２５ａの開口部を閉成する。  
前部エアフィルタ清掃機構２０Ａにおいて、前部エアフィルタ５Ａから塵埃を除去する作用中は、メーンダストボックス上２５ａにおける前部用ブラシ２３ａを収容する開口部からシール上２７ａが離間して開口状態になっているが、上記開口部がシール上２７ａで閉成されることで、ダストカバー上２６ａとメーンダストボックス上２５ａとで形成され塵埃を収集する空間室２８ａが完全密閉状態となる。
【００３３】
同様に、上部エアフィルタ清掃機構２０Ｂにおいて、上部エアフィルタ５Ｂから塵埃を除去する作用中は、メーンダストボックス下２５ｂにおける上部用ブラシ２３ｂを収容する開口部からシール下２７ｂが離間して開口状態になっているが、上記開口部がシール下２７ｂで閉成されることで、ダストカバー下２６ｂとダストボックス下２５ｂで形成され塵埃を収集する空間室２８ｂが完全密閉状態となる。  
そして、上記換気ユニットはダンパ全閉モードを選択したうえで、送風機構のファンが回転駆動される。この影響で、接続ホースを介して前，上部エアフィルタ清掃機構２０Ａ，２０Ｂに負圧がかかり、空間室２８ａ，２８ｂに収集されている塵埃は全て換気ユニットに吸引され、ついには屋外へ排出される。
【００３４】
所定時間経過後、図６（Ｆ）に示すように上部エアフィルタ清掃機構２０Ｂの駆動モータ２１ｂが逆転駆動され、上部用ブラシ２３ｂを反時計回り方向に回転駆動する。この回転にともない、上部移動機構２２ｂが作用して左右の上部エアフィルタ５Ｂを同時に上昇移動させる。前部エアフィルタ清掃機構２０Ａの駆動モータ２１ａは停止されたままであり、前部エアフィルタ５Ａはその位置を保持する。  
再び図６（Ａ）に示すように、上部エアフィルタ５Ｂの前端部がメーンダストボックス下２５ｂとシール下２７ｂとの間に介在した状態で駆動モータ２１ｂが停止する。そして、次のエアフィルタ清掃モードの選択を待機する。左右の前部エアフィルタ５Ａおよび上部エアフィルタ５Ｂにおいては、それぞれに対向する前，上部吸込み口４，６から導入される室内空気を通過させ、室内空気に含まれる塵埃を捕捉する作用をなす。
【００３５】
このように、室内機本体１の前部吸込み口４と上部吸込み口６に対向する前部エアフィルタ５Ａと上部エアフィルタ５Ｂを別体に構成した。そして、前部エアフィルタ５Ａを上部吸込み口６と対向する部位へ移動し、上部エアフィルタ５Ｂを前部吸込み口４と対向する部位へ移動し、掃除ユニットＺで交差して、それぞれのエアフィルタ５Ａ，５Ｂに付着する塵埃を除去するようにした。  
したがって、前部吸込み口４および上部吸込み口６の両方に対向する１枚型のエアフィルタを備えたものと比較して、塵埃除去中の前，上部エアフィルタ５Ａ，５Ｂの移動量が半分ですみ、塵埃の除去時間が半分に短縮されて作業性の向上化を得られる。そして、それぞれのエアフィルタ５Ａ，５Ｂの移動位置が、他方のエアフィルタの配置位置と同じであるので、特に移動先にスペースを確保する必要がない。
【００３６】
塵埃の除去時に、それぞれのエアフィルタ５Ａ，５Ｂは掃除ユニットＺを介して移動し本体１から突出しないので、美観の向上を得られる。先行技術にあるようなエアフィルタを軸に巻き取る方式に比べて、エアフィルタと掃除ユニット構造の簡素化を図ることができる。さらに、先行技術にあるようなエアフィルタを固定したまま塵埃除去手段を移動して塵埃を吸引する機構と比べて、小型化と簡素化を図れ、耐久性と信頼性の向上を得られる。  
前部吸込み枠７Ａと上部吸込み枠７Ｂおよび掃除ユニットＺを室内機本体１の前面に配置することで、これまで用いられていた室内機の構造を大きく変更することがなく取付けられ、汎用性が高い。前部エアフィルタ５Ａと上部エアフィルタ５Ｂが前部吸込み枠７Ａと上部吸込み枠７Ｂとの間を往復移動し、これら組立ての中間部に配置される換気ユニットが塵埃を除去するので、装置構成に無駄がなく、室内機の大型化を最小限に抑制する。
【００３７】
掃除ユニットＺは、前部吸込み口４と上部吸込み口６との間のスペースに配置されるので、室内機本体１内における熱交換空気の流通の妨げにならずにすむとともに、必要以上に突出することなく収納配置が可能である。  
前部エアフィルタ５Ａの上面側に前部用ブラシ２３ａが接触して塵埃を除去し、上部エアフィルタ５Ｂの上面側に上部用ブラシ２３ｂが接触して塵埃を除去する。いずれも、除去された塵埃がエアフィルタ５Ａ，５Ｂの上面を移動して前，上部ダストボックス２４ａ，２４ｂに収集される。したがって、各エアフィルタ５Ａ，５Ｂから塵埃を除去する際に、除去した塵埃が下方に落下することがなく、周辺部の汚れの防止を確実に行える。
【００３８】
除去した塵埃は、前，上部用ブラシ２３ａ，２３ｂに隣接して設けられる空間室２８ａ，２８ｂに収集され、周辺に飛散しないから熱交換器１０や室内送風機１２の汚れを防止できる。換気ユニットを利用して掃除ユニットＺに収集した塵埃を屋外へ排出するので、手間がかからずにすむ。このとき、ダストボックス２４ａ，２４ｂに設けられるブラシ２３ａ，２３ｂがエアフィルタ５Ａ，５Ｂに接触するための開口部を閉成するので、ダストボックス２４ａ，２４ｂにおいて空気漏れがなく、塵埃に対する吸引作用が極めて有効化する。
【００３９】
なお、本発明は上述した実施の形態そのままに限定されるものではなく、前部エアフィルタ５Ａと上部エアフィルタ５Ｂの掃除ユニットＺをそれぞれ別個の塵埃除去手段ではなく、共通の除去手段１つで構成させても良く、この場合は、前部エアフィルタ５Ａと上部エアフィルタ５Ｂとを交互に反対位置へ移動させて、清掃を行う構成とする。  
また、塵埃除去用のブラシと各エアフィルタの移動手段を１つの駆動手段でカムあるいは駆動ベルトを使用して行なうのではなく、それぞれを直接モータなどの駆動手段と直結して運転するようにしても良い。この場合、それぞれの回転速度、回転方向を独立して運転制御が可能であり、きめ細かな運転制御が行なえるなど、実施段階ではその要旨を逸脱しない範囲で構成要素を変形して具体化できる。そして、上述した実施の形態に開示されている複数の構成要素の適宜な組み合わせにより種々の発明を形成できる。
【図面の簡単な説明】
【００４０】
【図１】本発明の実施の形態に係る、空気調和機室内機の概略断面図。
【図２】同実施の形態に係る、室内機本体を取除いた状態の室内機の側面図。
【図３】同実施の形態に係る、前部吸込み枠と上部吸込み枠および掃除ユニットの構成を示す斜視図。
【図４】同実施の形態に係る、掃除ユニットの構成部品を分解した斜視図。
【図５】同実施の形態に係る、掃除ユニットにおける前部移動機構と上部移動機構の断面斜視図。
【図６】同実施の形態に係る、掃除ユニットの作用を順に説明する図。
【符号の説明】
【００４１】
４…前部吸込み口、６…上部吸込み口、９…吹出し口、１…室内機本体、１０…熱交換器、５Ａ…前部エアフィルタ、５Ｂ…上部エアフィルタ、Ｚ…掃除ユニット（エアフィルタ清掃機構）、２０Ａ…前部エアフィルタ清掃機構、２０Ｂ…上部エアフィルタ清掃機構、７Ａ…前部吸込み枠、７Ｂ…上部吸込み枠、２２ａ…前部移動機構（前部移動手段）、２３ａ…前部用ブラシ（前部塵埃除去手段）、２４ａ…前部ダストボックス（前部塵埃収集部）、２２ｂ…上部移動機構（上部移動手段）、２３ｂ…上部用ブラシ（上部塵埃除去手段）、２４ｂ…上部ダストボックス（上部塵埃収集部）。
【図１】
0004602866.tif 000002
【図２】
0004602866.tif 000003
【図３】
0004602866.tif 000004
【図４】
0004602866.tif 000005
【図５】
0004602866.tif 000006
【図６】
0004602866.tif 000007